(57)【特許請求の範囲】
【請求項１】
体内物質の濃度を測定する方法であって、
前記物質が赤外線を放出及び吸収する第１赤外線波長帯域における、身体に吸収または身体から放出される第１赤外線量を測定すること、
前記第１赤外線波長帯域とは異なり且つ前記物質が全く吸収及び放出しないまたは吸収及び放出が無視し得る程度である波長を含む第２赤外線波長帯域における、身体に吸収または身体から放出される第２赤外線量を測定すること、
体表面温度を測定すること、
環境温度を測定すること、
前記体表面温度における黒体に対して標準化した、前記第２赤外線波長帯域における第２赤外線量に対する、前記体表面温度における黒体に対して標準化した、前記第１赤外線波長帯域における第１赤外線量の比を含む標準化比パラメータを算出すること、
前記標準化比パラメータ、体表面温度及び環境温度を相関させる実証的参照表を用いて、前記標準化比パラメータ、体表面温度及び環境温度を相関させることにより体内物質の濃度を算出すること、
を含む方法。
【請求項２】
第２赤外線波長帯域が、身体が赤外線を放出及び吸収する全遠赤外線スペクトルである請求項１の方法。
【請求項３】
第２赤外線波長帯域が、物質が赤外線を全く吸収及び放出しないまたは吸収及び放出が無視し得る程度である単数または複数の赤外線波長帯域であり、前記第１赤外線量及び第２赤外線量が同時に測定される請求項１の方法。
【請求項４】
標準化比パラメータが、標準化した第２赤外線量に対する、標準化した第１赤外線量の比の対数である請求項１の方法。
【請求項５】
物質がグルコースである請求項１の方法。
【請求項６】
身体が人体である請求項１の方法。
【請求項７】
体表面を冷却して物質に赤外線を吸収させまたは体表面を加熱して物質から赤外線を放出させ、または、体表面を横断して環境空気流れを発生させるステップを更に含む請求項１の方法。
【請求項８】
体内物質の濃度を測定するためのシステムであって、
赤外線検出器と、
赤外線検出器に伝送される赤外線をろ過するべく構成した少なくとも第１及び第２の各フィルタを含むフィルタアセンブリと、
を含み、
前記第１フィルタが、物質が赤外線を放出及び吸収する第１赤外線波長帯域における、身体に吸収または身体から放出される第１赤外線量のみを伝送し、第２フィルタが、前記第１赤外線波長帯域とは異なり且つ前記物質が全く吸収及び放出しないまたは吸収及び放出が無視し得る程度である波長を含む第２赤外線波長帯域における、身体に吸収または身体から放出される第２赤外線量のみを伝送する構成を有し、
体表面温度を測定する構成を有する第１温度検出器と、
環境温度を測定する構成を有する第２温度検出器と、
標準化比パラメータ、体表面温度及び環境温度を相関させる実証的参照表を用いて、標準化比パラメータ、体表面温度及び環境温度を相関させることにより体内物質の濃度を算出する処理装置と、
を更に含み、
前記標準化比パラメータが、前記体表面温度における黒体に対して標準化した、前記第２赤外線波長帯域における第２赤外線量に対する、前記体表面温度における黒体に対して標準化した、前記第１赤外線波長帯域における第１赤外線量の比を含むシステム。
【請求項９】
体表面の表面温度を上昇または低下させるべく作動自在の温度変化装置を更に含む請求項８のシステム。
【請求項１０】
体表面を横断する環境空気流れを発生させるべく作動自在の空気流れ装置を更に含む請求項８のシステム。
【請求項１１】
第２赤外線波長帯域が、物質が全く吸収及び放出しないまたは吸収及び放出が無視し得る程度である単数または複数の赤外線波長帯域である請求項８のシステム。
【請求項１２】
物質がグルコースであり、身体が人体である請求項８のシステム。
【請求項１３】
第１あるいは第２の温度検出器がサーミスタを含む請求項８のシステム。
【請求項１４】
赤外線検出器がコリメート光学系を備えた熱電対列を含む請求項８のシステム。
【請求項１５】
フィルタアセンブリが、第１フィルタ及び第２フィルタを赤外線検出器に関して選択的に位置決めするべく可動である請求項８のシステム。
【請求項１６】
フィルタアセンブリを赤外線検出器に関して位置決めするための駆動装置を更に含む請求項１５のシステム。
【請求項１７】
赤外線検出器が第１及び第２の各赤外線検出器を含み、第１フィルタが第１赤外線検出器に関連付けされ、第２フィルタが第２赤外線検出器に関連付けされる請求項８のシステム。
【請求項１８】
フィルタアセンブリが少なくとも第３のフィルタを含む請求項８のシステム。
【請求項１９】
体内物質の濃度を表示するべく構成したディスプレイを更に含む請求項８のシステム。
【発明の詳細な説明】
【技術分野】
【０００１】
本発明は、ヒト等の体内のグルコース等の物質の測定に関する。
【背景技術】
【０００２】
血流内のグルコース等の物質濃度を非侵襲的に測定する幾つかの方法特許が提案されている。それらの例には、米国特許第５，３１３，９４１、同５，３７０，１１４、同５，５１５，８４７、同５，６０１，０７９、同５，６１５，６７２、同５，６６６，９５６、同６，９４９、０７０、同６，９９８，２４７、同７，１８３，１０２、の各号が含まれる。しかしながら、前記各特許に開示される方法では濃度測定時点における体表面温度及び環境温度が適切に考慮されない。これらの両パラメータは中〜遠赤外線スペクトルでの物質濃度の測定精度に影響する。
【先行技術文献】
【特許文献】
【０００３】
【特許文献１】米国特許第５，３１３，９４１号明細書
【特許文献２】同第５，３７０，１１４号明細書
【特許文献３】同第５，５１５，８４７号明細書
【特許文献４】同第５，６０１，０７９号明細書
【特許文献５】同第５，６１５，６７２号明細書
【特許文献６】同第５，６６６，９５６号明細書
【特許文献７】同第６，９４９、０７０号明細書
【特許文献８】同第６，９９８，２４７号明細書
【特許文献９】同第７，１８３，１０２号明細書
【発明の概要】
【発明が解決しようとする課題】
【０００４】
ここに開示する好ましい実施例は幾つかの特徴を有するが、それら特徴の１つのみによってその所望の特性が得られるものではない。付随する請求項に記載する如き本発明の各実施例の範囲を限定することなく、それら実施例の更に重要な特徴を以下に略述する。
【課題を解決するための手段】
【０００５】
本発明の１様相によれば、体内物質の濃度測定法が提供される。本方法には、体内吸収または体外放出される第１波長帯域の第１赤外線（ＩＲ）量測定ステップと、体内吸収または体外放出される第２波長帯域の第２赤外線（ＩＲ）量測定ステップとが含まれる。本方法には、体表面温度測定ステップ及び環境温度測定ステップが更に含まれる。本方法には更に、第１赤外線量、第２赤外線量、体表面温度、環境温度、に基づいて標準化比パラメータを算出し、当該標準化比パラメータを実証的参照表を用いて体表面温度及び環境温度と相関させることで体内物質濃度を算出するステップが更に含まれる。
【０００６】
本発明の他の様相によれば、体内物質の濃度測定用システムが提供される。本システムには、赤外線（ＩＲ）検知器、当該赤外線検知器に伝送されるＩＲ放射をフィルタリングする構成を有する少なくとも第１及び第２の各フィルタを含むフィルタアセンブリと、が含まれる。第１フィルタは体内吸収または体外放出される第１波長帯域の第１赤外線（ＩＲ）量のみを通す構成とされる。第２フィルタは体内吸収または体外放出される第２波長帯域の第２赤外線（ＩＲ）量のみを通す構成とされる。
【０００７】
本発明の他の様相によれば、母集団全域の一連の測定値を求めることにより実証的参照表を生成させる方法が提供される。本方法には、ａ）母集団の各メンバー毎の体内物質濃度を直接測定すること、ｂ）母集団の各メンバー毎の体内吸収または体外放出される第１波長帯域の第１赤外線（ＩＲ）量を測定するステップ、ｃ）母集団の各メンバー毎の体内吸収または体外放出される第２波長帯域の第２赤外線（ＩＲ）量を測定するステップ、が含まれる。前記ｂ）及びｃ）ステップと夫々類似するステップｄ）及びｅ）では、体表面温度を測定し、また環境温度を測定する。本方法には、ｆ）前記第１赤外線（ＩＲ）量及び第２赤外線（ＩＲ）量、体表面温度、環境温度、に基づき標準化比パラメータを算出する。ステップｇ）では、複数の環境温度下に且つ複数の物質濃度に対してステップａ）〜ｆ）を反復する。ステップｈ）では各環境温度及び各物質濃度について、母集団の各メンバー毎の体表面温度、環境温度、標準化比パラメータをプロットし、かくして実証的参照表を生成させる。
【発明の効果】
【０００８】
体内物質の非侵襲的測定用装置及び方法が提供される。
【図面の簡単な説明】
【０００９】
【図１】図１は、所定スペクトル帯域での仮想体における赤外線放出及び吸収量のプロット図である。
【図２】図２は、所定スペクトル帯域での仮想体における遠赤外線放出及び吸収量のプロット図である。
【図３】図３は、本発明の実施例に従う、体表面温度、環境温度、標準化比パラメータ、を各軸とする実証的参照表の略斜視図である。
【図４】図４は、体内物質濃度を測定するための本システムの１実施例を示す概略図である。
【図５】図５は、体内物質濃度を測定するための本システムの他の実施例を示す概略図である。
【図６】図６は、図４の体内物質濃度を測定するためのシステムの他の実施例を示す概略図である。
【図７】図７は、体内物質濃度測定用の本方法の１実施例を例示するプロセスフローチャートである。
【図８】図８は、実証的参照表を生成させるための本方法の１実施例を例示するプロセスフローチャートである。
【発明を実施するための形態】
【００１０】
本発明の装置及び方法の各実施例は体内物質の濃度を決定するべく構成される。ある実施例では、被測定物質は血流中のグルコースであり得る。しかしながら、本発明の装置及び方法は、例えばコレステロール等のその他物質の濃度測定用に使用できる。本発明の装置及び方法は非侵襲的であり、従って、不快な皮膚穿刺が回避されることが有益である。
【００１１】
本発明の各実施例では、物質濃度を決定するために、体内吸収及びまたは体外放出される異なる波長の赤外線（ＩＲ）量を測定し、各測定値を、黒体吸収及びまたは黒体放出される赤外線（ＩＲ）量に対して標準化する。本発明の各実施例では、赤外線量測定と同時に、環境温度及び体表面温度をも測定する。環境温度及び体表面温度は、周辺環境と測定表面との間における伝熱の平衡に影響し、また表面での吸収または放出の確率にも影響することから、ＩＲ量の測定精度に影響を及ぼす。
【００１２】
ある実施例では、体表面温度に代えて、または加えて体温が測定され得る。ここで、体表面温度とは体表面及び体内の何れかまたは両方の温度を含む広い意味で使用するものとする。
【００１３】
ある実施例では、標準化されたＩＲ量測定値の比が標準化比パラメータとなる。本発明の装置及び方法では、この標準化比パラメータと、体表面温度及び環境温度の各測定値とを用い、実証的参照表を参照して体内の物質濃度を決定する。実証的参照表と、この参照表を生成させるための方法例を以下に詳しく議論する。
【００１４】
全ての身体及び全ての物質はＩＲを吸収及び放出する。所定周波数でのＩＲの吸収及び放出量は身体温度及び環境温度次第で変化する。図１には仮想体に対するＩＲ放出スペクトルのサンプルプロットが例示され、環境温度ＴAがｘ、体温ＴBがｙとして表されている。図示の如く、身体は曲線２２のピーク２０で表すように特定周波数のＩＲを吸収及び放出しやすい。
【００１５】
特に遠赤外線（ＦＩＲ）でのＩＲ吸収／放出量が顕著となる物質がある。その一例はグルコースである。従って、体内のグルコース等の物質濃度を測定する場合は体から放出されるＦＩＲを測定するのが有益である。ここで、遠赤外線及び短縮（ａｂｂｒｅｖｉａｔｉｏｎ）遠赤外線とは波長約７ミクロンのＩＲを指すものとする。
【００１６】
本発明の各装置及び方法実施例では、異なる波長帯域でのＦＩＲの身体吸収または放出値を測定する。単数或いは複数の第１波長帯域は、物質がＦＩＲを有意に吸収／放出することが既知の帯域（または複数の帯域）であるように選択される。第２波長帯域は、身体が吸収／放出する全ＦＩＲスペクトルであるように選択される。他の実施例では第２波長帯域（または複数の帯域）は、物質がＦＩＲを全く吸収／放出しないまたは吸収／排出が無視し得る程度であることが既知の帯域（または複数の帯域）であるように選択される。各測定値を標準化した後、以下に詳しく議論する如く、その比を用いて体内物質の濃度を決定する。
【００１７】
本発明の各実施例において、ＦＩＲ測定値が黒体に対して標準化される。黒体は、当業者には認識される通り、放射をその理論放射率において吸収及び放射する。図２には、仮想体（実線２４）と、黒体（点線２６）とに関するＦＩＲ吸収／放出のサンプルプロット図が例示される。仮想体及び黒体に関する環境温度ＴAは共に同じである。また、仮想体及び黒体に関する仮想体／黒体温度ＴBも共に同じである。垂直方向の点線は、被濃度測定物質のＦＩＲ吸収／放出量がピーク２９となることが既知である第１波長帯域２７を表す。例えば、グルコースの場合、第１波長帯域は９．３〜９．９ミクロンの間を選択し得る。
【００１８】
本方法発明の１実施例において、身体の第１波長帯域ＦＩＲの吸収／放出量が測定され、次いで第１波長帯域における黒体ＦＩＲに対して標準化される。次いで全ＦＩＲスペクトルに渡る身体のＦＩＲ吸収／放出量が測定された後、全ＦＩＲスペクトルに渡る黒体ＦＩＲに対して標準化される。次いで、体表面温度及び環境温度が第１及び第２の前記ＦＩＲ測定と同時に測定される。第１及び第２の各標準化測定値から標準化比パラメータを得る。身体中の物質濃度が標準比パラメータ、体表面温度及び環境温度と相関される。ある実施例では、標準化比パラメータの、自然対数（ｌｎ）の如き対数を相関ステップで使用し得る。本実施例では相関ステップには実証的参照表への参照が含まれる。
【００１９】
本発明の装置及び方法の各実施例によれば、統計的な代表母集団（以下、“グループ”）全域について一連の測定を実施することで実証的参照表が生成され得る。グループの各メンバーに関する測定値には、従来の侵襲的方法に従い測定した関心物質（グルコース等）の濃度、第１波長帯域での遠赤外線の第１の吸収または放出量、第２波長帯域での遠赤外線の第２の吸収または放出量、体表面温度及び環境温度、が含まれる。第１波長帯域（多数の帯域を含み得る）は、物質がＦＩＲを有意に吸収／放出することが既知である帯域（または複数の帯域）であるように選択する。ある実施例では第２波長帯域は、身体の全ＦＩＲ吸収／放出スペクトルであるように選択される。他の実施例では第２波長帯域（または複数の帯域）は、物質がＦＩＲを全く吸収／放出しないまたは吸収／排出が無視し得る程度であることが既知の帯域（または複数の帯域）であるように選択される。これらの測定プロセスが色々の環境温度及び色々の物質濃度について反復される。
【００２０】
ＦＩＲの第１及び第２の各測定値が同じ温度下に黒体に対して標準化される。次いで、グループの全メンバー毎の３つの測定パラメータの相関表示させることで参照表が生成される。３つのパラメータとは、体表面温度、環境温度、ここでは標準化比パラメータと称するところの、第２標準化ＦＩＲ測定値に対する第１標準化ＦＩＲ測定値の比、である。ある実施例では、標準化比パラメータの、自然対数（Ｉｎ）の如き対数と、体表面温度及び環境温度とが相関表示され得る。母集団の大きさが十分であれば、体内物質の濃度を容易に決定し得る参照表を、ＦＩＲ吸収／放出、環境温度、体表面温度、の各非侵襲的測定値のみを用いて生成させ得る。
【００２１】
図３には前記実証的参照表２８の実施概念が例示される。例示実施例では実証的参照表２８は３つの軸、即ち、体表面温度軸３０、環境温度軸３２、標準化比パラメータ軸３４、を含む。体内の所定物質の濃度を決定するには、身体から前記３つの各軸に相当する各測定値を得る。実証的参照表２８の３つの測定値の交差部３６が、図３に示す如く物質濃度を示す。
【００２２】
他の実施例では、実証的参照表は複数のデータポイントを含むデータベースを含み得る。図３に例示したカルテシアン座標は、体表面温度軸３０、環境温度軸３２、標準化比パラメータ軸３４、における３つのパラメータ間の相互関係を理解し易くするためのものである。しかしながら、本発明の各実施例の全てが、三次元空間内にプロットされた参照表を含む必要はない。
【００２３】
本件出願人は、実証的参照表２８を生成させるための母集団全域の一連の測定値を未だ完了していない。これらの測定値によれば、同一条件下においてある物質と他の物質（血流中のある物質濃度、ある体表面温度、ある環境温度）との間でのＦＩＲ放出読み取り値の変動大きさを表す母集団分布を入手し得ることが見込まれる。前記変動が全く無いまたは無視し得る程である場合は、各物質に関する任意の侵襲的測定を要することなく、本発明の装置３８及び方法を使用して血流中の物質濃度を決定し得る。しかしながら、読み取り値が有意に変動する場合は従来の侵襲的方法を用いて各物質に関する初期測定を実施し、装置３８及び方法をその特定物質用に較正する必要がある。しかしながら、較正に要する侵襲的測定は１〜２回のみである。
【００２４】
図４には体内物質の濃度測定用の装置３８の１実施例が略示される。図示した装置３８はＩＲ検出器４０と、ＩＲフィルタアセンブリ４２と、加熱及びまたは冷却装置４４と、環境温度測定装置４６と、が含まれる。本実施例ではＩＲ検出器４０は体表面温度を測定する。しかしながら、体表面温度測定用の他の装置を使用できる。
【００２５】
ある実施例ではＩＲ検出器４０はコリメート光学系を備えた熱電対列である。しかしながらＩＲ検出器は別タイプの検出器、例えばボロメータを含み得る。例示した装置３８は、物質濃度、パラメータ測定値、及びその他情報、等の情報を表示するディスプレイ４８を更に含む。ある実施例ではディスプレイ４８は液晶ディスプレイ（ＬＣＤ）であり得る。
【００２６】
尚、図４を参照するに、ＩＲフィルタアセンブリ４２がＩＲ検出器４０の手前に位置決めされている。ＩＲフィルタアセンブリ４２は３つのフィルタ５０を含むが、含まれるフィルタ数は任意でよい。フィルタ５０の最初のフィルタは、物質が有意に吸収／放出するＩＲスペクトル帯域のみを通す。第２のフィルタは物質が全くまたは無視し得る程に吸収／放出するスペクトル帯域を通す。第３のフィルタは体温に関連する全てのＩＲを通す。第３のフィルタは、例えば、約７〜約１５ミクロンの間の全てのＩＲを通す。
【００２７】
例示実施例ではＩＲフィルタアセンブリ４２はフィルタホイールまたはフィルタドライブ５２と、モータ５４とを含む。ある実施例ではモータ５４がソレノイドを含み得る。モータ５４またはソレノイドはＩＲ検出器４０に関するＩＲフィルタアセンブリ４２位置を変化させるための駆動力を提供する構成とされる。モータ５４またはソレノイドを起動させることで、各ＩＲ測定時にＩＲ検出器４０の前方へのフィルタ５０のシーケンス的位置決めが可能となる。
【００２８】
図５に例示する別態様の実施例の装置３９では、モータ５４及びフィルタアセンブリ４２が複数の固定位置ＩＲ検出器５６で代替される。例示実施例では３つのＩＲ検出器５６が例示される。しかしながら、任意数のＩＲ検出器を設け得る。図５の実施例では各ＩＲ検出器５６はそれ自体がＩＲフィルタ５８を含む。各フィルタ５８は、例えば図４の、被通過ＩＲ波長に関して設けた３つのフィルタ５０と実質的に類似する。図５の実施例ではＩＲ検出器及びフィルタアセンブリには可動パーツを設けず、全ての測定を同時に実行することが有益である。
【００２９】
図４及び図５を参照するに、例示された本発明の各装置３８、３９は、環境温度測定装置４６を含む。ある実施例では環境温度測定装置４６は、負温度特性（ＮＴＣ）サーミスタ等のサーミスタであり得る。簡略化のため、環境温度測定装置を今後サーミスタと称する。しかしながら、環境温度測定装置は、環境温度測定に好適な熱電対等の任意の装置であり得る。例示実施例ではサーミスタ４６はＩＲ検出器４０、５６に装着されるがそうでなくとも良い。ある実施例ではサーミスタ４６は通常、ＩＲ検出器４０、５６の、環境温度に等しいハウジング（図示せず）温度を測定する。
【００３０】
図４及び図５を引き続き参照するに、単数または複数のＩＲ検出器の出力６０と、サーミスタ４６の出力６２と、モータ５４の制御入力６４と、加熱／冷却装置４４の制御入力６６とは制御エレクトロニクス６８に接続される。図６には制御エレクトロニクス６８の詳細が示され、プロセス処理ユニット７０及びメモリ７２を含んでいる。メモリ７２は本装置３８、３９により実施した測定結果を算出するための参照表２８及びまたはその他の参照表を含み得る。プロセス処理ユニット７０はソフトウェア及びまたはファームウェアを実行させる中央プロセス処理ユニット（ＣＰＵ）を含み得る。或いはプロセス処理ユニット７０は、１つ以上の特定用途向け集積回路（ＡＳＩＣ）を含み得る。プロセス処理ユニット７０は単数または複数のＩＲ検出器４０、５６及びサーミスタ４６からの信号をプロセス処理する。プロセス処理ユニット７０は、物質濃度、単数または複数のＩＲ検出器４０、５６及びまたはサーミスタ４６による温度計測値、及びその他情報を含み得る結果を表示するディスプレイ４８をも駆動する。図６の実施例ではプロセス処理ユニット７０はモータドライブ７４をも制御し、このモータドライブ７４が結局、モータ５４を制御してフィルタアセンブリ４２の位置をＩＲ検出器４０に関して変化させる。
【００３１】
図６を参照するに、例示した制御エレクトロニクス６８が、測定チャネル間切替用の１つ以上のスイッチ７５を含んでいる。例えば、スイッチ７５はＩＲ検出器４０、５６からの信号を担持する第１チャネルと、環境温度測定装置、即ち、サーミスタ４６からの信号を担持する第２チャネルとの間でチャネル切替を実行する。プロセス処理ユニット７０はスイッチ７５を制御する。
【００３２】
尚図６を参照するに、例示した制御エレクトロニクス６８は積分増幅器７７を更に含む。積分増幅器７７はＩＲ検出器４０、５６の発生電圧を測定可能値に増幅する。ＩＲ検出器４０、５６の発生電圧は身体放射検出値に比例し、しかも非常に低い例示した制御エレクトロニクス６８は比較器７９を更に含む。比較器７９は、積分増幅器７７と共に、ＩＲ検出器４０、５６からの電圧を入力電圧に逆比例し且つプロセス処理ユニット７０により測定される時間間隔に変換する。
【００３３】
図４及び図５を参照するに、ある実施例では加熱／冷却装置４４は、所望量の加熱または冷却を提供する構成としたペルチェ素子８２と、加熱空気または冷却空気を駆動させるファン８４と、加熱空気または冷却空気を体表面上に送るファンネル８６と、を含む。皮膚面を加熱または冷却することで被濃度測定物質のＩＲ吸収または放出が誘導される。例えばグルコースの場合、皮膚を冷却するとＩＲ吸収が誘導され、他方、皮膚を加熱するとＩＲ放出が誘導される。他の実施例では環境温度空気の流れがＩＲ放出または吸収を誘導させる。それらの実施例では加熱／冷却装置４４を、環境空気を駆動する空気流れ装置で代替させ得る。
【００３４】
図７のプロセスフルーチャートには、体内物質濃度測定方法の１実施例が例示される。ステップＳ７００では単数または複数のＩＲ検出器と、加熱／冷却／空気流れ装置とが身体に関して位置決めされている。ステップＳ７０２では、加熱／冷却／空気流れ装置が起動され、物質のＩＲの吸収／放出が誘導される。ステップＳ７０４では、ＩＲの吸収／放出と体表面温度とが同時に測定される。ステップＳ７０４は、先に議論した如く第１及び第２の各波長帯域においてＩＲ測定値を入手するべく反復される。ステップＳ７０６では、ＩＲ測定値から標準化比パラメータを算出する。ステップＳ７０８では、参照表２８を用いて標準化比パラメータが環境温度及び体表面温度と相関される。ステップＳ７１０では物質濃度が表示される。
【００３５】
図４及び図５に示す装置３８、３９の各実施例の何れかにおいて、ＩＲの吸収／放出、環境温度及び体表面温度測定用の別法は、体表面をスキャンしつつ体表面の色々の位置で多数の測定を実施することである。この場合、例えば、ソフトウェアを使用して、複数の測定値から最も望ましい結果を識別し得る。最も望ましい結果を選択するためのパラメータは、例えば、再現性、最大信号、等であり得る。
【００３６】
図８のプロセスフローチャートには、実証的参照表２８を生成させるための本発明の方法の１実施例が例示される。ステップＳ８００では関心物質（グルコース等）の濃度がグループの各メンバー毎に直接測定される。当該ステップには、例えば、各メンバーから血液サンプルを採取し、任意の既知の方法に従い当該血液サンプルを試験することが含まれ得る。ステップＳ８０２では単数または複数のＩＲ検出器と、加熱／冷却／空気流れの各装置とをグループの各メンバーの身体に関して位置決めする。ステップＳ８０４では加熱／冷却／空気流れの各装置を起動させ、グループの各メンバーに関する物質によるＩＲ吸収／放出を誘導させる。ステップＳ８０６ではＩＲ吸収／放出、環境温度及び体表面温度、をグループの各メンバーに関して同時に測定する。ステップＳ８０６をグループの各メンバーに対して反復させ、先に議論した如く第１及び第２の各波長帯域でのＩＲ測定値を入手する。ステップＳ８０８ではＩＲ測定値から、グループの各メンバーに関する標準化比パラメータを算出する。ステップＳ８１０ではステップＳ８０２、８０４、８０６、８０８を色々の環境温度及び色々の物質濃度に関して反復する。ステップＳ８１２では体表面温度、環境温度、標準化比パラメータ、をグループの全メンバーに関する血中物質濃度に相関表示させる。
以上、本発明を実施例を参照して説明したが、本発明の内で種々の変更をなし得ることを理解されたい。
【符号の説明】
【００３７】
８  制御エレクトロニクス
２０  ピーク
２２  曲線
２４  実線
２６  点線
２７  第１波長帯域
２８  実証的参照表
２９  ピーク
３０  体表面温度軸
３２  環境温度軸
３４  標準化比パラメータ軸
３６  交差部
３８  装置
３９  装置
４０  ＩＲ検出器
４２  ＩＲフィルタアセンブリ
４４  加熱／冷却装置
４６  サーミスタ
４８  ディスプレイ
５０  フィルタ
５２  フィルタドライブ
５４  モータ
５６  ＩＲ検出器
５８  ＩＲフィルタ
５８  各フィルタ
６０  出力
６２  出力
６６  制御入力
６８  制御エレクトロニクス
７０  プロセス処理ユニット
７２  メモリ
７４  モータドライブ
７５  スイッチ
７７  積分増幅器
７９  比較器
８２  ペルチェ素子
８４  ファン
８６  ファンネル
【図１】
0005887133.tif 000002
【図２】
0005887133.tif 000003
【図３】
0005887133.tif 000004
【図４】
0005887133.tif 000005
【図５】
0005887133.tif 000006
【図６】
0005887133.tif 000007
【図７】
0005887133.tif 000008
【図８】
0005887133.tif 000009